(57)【要約】【課題】医療機関のような医学診断サービスの需要者と外部の読取専門家との間に発生する医療情報の読み取りサービスのための情報を中継する技術を提供する。【解決手段】サービス装置が、医学情報の一部または全部、及び参照医学情報を含む読み取り要請情報に対する読み取り結果を端末機から受信するステップと、前記サービス装置が、前記読み取り結果のうち、前記参照医学情報に関する内容である専門家評価用読み取り結果を抽出するステップと、前記サービス装置が、前記専門家評価用読み取り結果を前記参照医学情報を読み取って予め用意しておいた参照読み取り結果と互いに比較するステップと、前記サービス装置が、前記比較した結果に基づいて、前記読み取り結果のうち前記医学情報に関する内容である医学情報読み取り結果のサービス水準を算出するステップと、を含む、遠隔医学診断サービス方法を公開する。【選択図】図１
2020135860.tif 000002
【特許請求の範囲】
【請求項１】
サービス装置が、医学情報の一部または全部、及び参照医学情報を含む読み取り要請情報に対する読み取り結果を端末機から受信するステップと、
前記サービス装置が、前記読み取り結果のうち、前記参照医学情報に関する内容である専門家評価用読み取り結果を抽出するステップと、
前記サービス装置が、前記専門家評価用読み取り結果を前記参照医学情報を読み取って予め用意しておいた参照読み取り結果と互いに比較するステップと、
前記サービス装置が、前記比較した結果に基づいて、前記読み取り結果のうち前記医学情報に関する内容である医学情報読み取り結果のサービス水準を算出するステップと、
を含む、
遠隔医学診断サービス方法。
【請求項２】
前記サービス装置が、前記算出されたサービス水準が予め決定された値以下であると決定されれば、前記算出されたサービス水準が予め決定された値以下であることを示す情報を要請端末に伝送するステップを更に含む、請求項１に記載の遠隔医学診断サービス方法。
【請求項３】
前記サービス装置が、前記読み取り結果を送ってきた読取専門家に対する等級を前記算出されたサービス水準に基づいて更新するステップと、
前記サービス装置が、要請装置から遠隔診断サービス要請を受信すると、前記読取専門家を含む複数の読取専門家のうち一人の読取専門家を、前記複数の読取専門家に対する前記等級に基づいて選択するステップと、
前記サービス装置が、前記選択された読取専門家に関する情報を前記要請装置に伝送するステップと、
を更に含む、
請求項１に記載の遠隔医学診断サービス方法。
【請求項４】
前記受信するステップの前に、前記サービス装置が、前記医学情報を要請装置から受信する第１ステップと、
前記受信するステップの前に、前記サービス装置が、前記読み取り要請情報を前記端末機に送信する第２ステップと、
前記サービス装置が、前記医学情報読み取り結果を前記要請装置に送信する第３ステップと、
を更に含む、
請求項１に記載の遠隔医学診断サービス方法。
【請求項５】
前記サービス装置が、前記算出されたサービス水準が予め決定された値以下であると決定されれば、前記読み取り結果を送ってきた読取専門家の選定可能性を減少させるように設定を変更し、そして、前記算出されたサービス水準が予め決定された第２値以上であると決定されれば、前記読み取り結果を送ってきた読取専門家の選定可能性を増加させるように設定を変更するステップを更に含む、請求項１に記載の遠隔医学診断サービス方法。
【請求項６】
前記サービス装置が、前記算出されたサービス水準が予め決定された値以下であると決定されれば、前記読み取り結果を送ってきた読取専門家を一定期間他の医学情報の読み取り依頼に対する候補から排除するように設定を変更するステップを更に含む、
請求項１に記載の遠隔医学診断サービス方法。
【請求項７】
前記医学情報は、生体からまたは死滅した生体から検出された画像情報、または生体からまたは死滅した生体から検出された音響情報のうちいずれか一つを含み、
前記医学情報は生きている生命体の状態を診断するために提供されるものであるか、または死んでいる生命体の状態を診断するために提供されるものである、
請求項１に記載の遠隔医学診断サービス方法。
【請求項８】
前記サービス装置が、前記第３ステップの後に、前記医学情報読み取り結果に関する評価点数を前記要請装置または他の装置から受信するか、または前記サービス装置のユーザインタフェースを介して獲得するステップと、
前記サービス装置が、前記評価点数及び前記サービス水準のうち一つ以上に基づいて読取専門家の等級を決定し、前記決定された等級に応じて前記読取専門家に対する補償の水準を更新するステップと、
を更に含み、
前記サービス装置は、前記医学情報を読み取る読取専門家を識別する識別情報を前記読み取り要請情報内に含ませるようになっており、前記読み取り結果は、前記識別情報によって識別される読取専門家によって導出されるとみなすようになっている、
請求項４に記載の遠隔医学診断サービス方法。
【請求項９】
前記受信するステップの前に、前記サービス装置が、遠隔医療診断サービス要請を要請装置から受信するステップと、
前記受信するステップの前に、前記サービス装置が、読取専門家を選定し、前記選定された読取専門家に関する連絡情報を前記要請装置に提供するステップと、
を更に含み、
前記読み取り結果は、前記端末機から前記要請装置を経由せずに受信したものであるか、または前記端末機から前記要請装置を経由して受信したものであり、
前記読み取り要請情報は、前記要請装置から前記端末機に前記サービス装置を経由せずに伝達されたものである、
請求項１に記載の遠隔医学診断サービス方法。
【請求項１０】
前記受信するステップの前に、前記サービス装置が、前記参照医学情報を前記端末機に提供するステップ、または、
前記受信するステップの前に、前記サービス装置が、前記参照読み取り結果を前記要請装置から獲得するステップ
を更に含む、
請求項９に記載の遠隔医学診断サービス方法。
【請求項１１】
通信部、及び処理部を含むサービス装置であって、
前記処理部は、
前記通信部を利用し、医学情報の一部または全部、及び参照医学情報を含む読み取り要請情報に対する読み取り結果を端末機から受信し、
前記読み取り結果のうち、前記参照医学情報に関する内容である専門家評価用読み取り結果を抽出し、
前記専門家評価用読み取り結果を前記参照医学情報を読み取って予め用意しておいた参照読み取り結果と互いに比較し、そして、
前記比較した結果に基づいて、前記読み取り結果のうち前記医学情報に関する内容である医学情報読み取り結果のサービス水準を算出するようになっている、
サービス装置。
【請求項１２】
前記処理部は、
前記読み取り結果を受信する前に、前記通信部を利用して、前記医学情報を要請装置から受信し、
前記読み取り結果を受信する前に、前記通信部を利用して、前記読み取り要請情報を前記端末機に送信し、そして、
前記通信部を利用して、前記医学情報読み取り結果を前記要請装置に送信するようになっている、
請求項１１に記載のサービス装置。
【請求項１３】
電子装置によって実行される命令を含む一つ以上のプログラムを貯蔵したコンピュータで読み取り可能なノントランジトリー記録媒体であって、
前記命令が前記電子装置によって実行される際、前記電子装置が、
医学情報の一部または全部、及び参照医学情報を含む読み取り要請情報に対する読み取り結果を端末機から受信し、
前記読み取り結果のうち、前記参照医学情報に関する内容である専門家評価用読み取り結果を抽出し、
前記専門家評価用読み取り結果を前記参照医学情報を読み取って予め用意しておいた参照読み取り結果と互いに比較し、そして、
前記比較した結果に基づいて、前記読み取り結果のうち前記医学情報に関する内容である医学情報読み取り結果のサービス水準を算出するようになっている、
コンピュータで読み取り可能なノントランジトリー記録媒体。
【請求項１４】
前記命令が前記電子装置によって実行される際、前記電子装置が、
前記読み取り結果を受信する前に、前記医学情報を要請装置から受信し、
前記読み取り結果を受信する前に、前記読み取り要請情報を前記端末機に送信し、そして、
前記医学情報読み取り結果を前記要請装置に送信するようになっている、
請求項１３に記載のコンピュータで読み取り可能なノントランジトリー記録媒体。
【発明の詳細な説明】
【技術分野】
【０００１】
本発明は、通信ネットワーク装置及びコンピューティング装置を利用して遠隔医学診断を可能にする技術に関する。
【背景技術】
【０００２】
医療診断技術の発展、医療専門家人力需給の変動、医療関連法制度の変化、及び通信技術の発展のような医療環境を取り巻く変化のため、遠隔医療診断を実行するための技術的・商業的制約条件が消えつつある。
【０００３】
例えば、特定の医療機関は患者から測定したＭＲＩイメージを読み取る読取専門家を直接雇用することができる。また、前記医療機関は前記ＭＲＩイメージの読み取りを、前記医療機関に所属していない外部の読取専門家に依頼することもある。
【０００４】
また、医療読取専門家による読み取りを求める患者に関する情報であれば、前記ＭＲＩイメージだけでなく、他の形態の医療情報も遠隔医療診断の対象となり得る。
【０００５】
しかし、外部の読取専門家の専門的力量に関する評価、及び外部の専門家が医療機関からの読み取りの依頼を誠実に行える状態にあるのか否かをリアルタイムで評価することができなければ、外部の読取専門家を活用するのかに関する医療委機関の意思決定が保留されるしかない。
【０００６】
よって、外部の読取専門家に対する評価システムの開発は、遠隔医療診断術の取り入れ及び拡散に大きな影響を及ぼすはずである。
【発明の概要】
【発明が解決しようとする課題】
【０００７】
本発明は、医療機関のような医学診断サービスの需要者と外部の読取専門家との間に発生する医療情報の読み取りサービスのための情報を中継する技術を提供しようとする。
【０００８】
本発明は、外部の読取専門家の専門的力量を評価するための基礎情報を医学診断サービスの需要者に提供し、外部の読取専門家のサービス提供の品質をリアルタイムで評価する技術を提供しようとする。
【課題を解決するための手段】
【０００９】
本発明の一観点によると、サービス装置が、医学情報の一部または全部、及び参照医学情報を含む読み取り要請情報に対する読み取り結果を端末機から受信するステップと、前記サービス装置が、前記読み取り結果のうち、前記参照医学情報に関する内容である専門家評価用読み取り結果を抽出するステップと、前記サービス装置が、前記専門家評価用読み取り結果を前記参照医学情報を読み取って予め用意しておいた参照読み取り結果と互いに比較するステップと、前記サービス装置が、前記比較した結果に基づいて、前記読み取り結果のうち前記医学情報に関する内容である医学情報読み取り結果のサービス水準を算出するステップと、を含む、遠隔医学診断サービス方法が提供される。
【００１０】
この際、遠隔医学診断サービス方法は、前記サービス装置が、前記算出されたサービス水準が予め決定された値以下であると決定されれば、前記算出されたサービス水準が予め決定された値以下であることを示す情報を要請端末に伝送するステップを更に含む。
【００１１】
この際、前記遠隔医学診断サービス方法は、前記サービス装置が、前記読み取り結果を送ってきた読取専門家に対する等級を前記算出されたサービス水準に基づいて更新するステップと、前記サービス装置が、要請装置から遠隔診断サービス要請を受信すると、前記読取専門家を含む複数の読取専門家のうち一人の読取専門家を、前記複数の読取専門家に対する前記等級に基づいて選択するステップと、前記選択された読取専門家に関する情報を前記要請装置に伝送するステップと、を更に含む。
【００１２】
この際、前記サービス装置は、読取専門家を示す第１フィールド、及び前記各読取専門家の等級を示す第２フィールドを有する複数のレコードを含む読取専門家データベースに接近し得るようになっている。
【００１３】
この際、前記遠隔医学診断サービス方法は、前記受信するステップの前に、前記サービス装置が、前記医学情報を要請装置から受信する第１ステップと、前記受信するステップの前に、前記サービス装置が、前記読み取り要請情報を前記端末機に送信する第２ステップと、前記サービス装置が、前記医学情報読み取り結果を前記要請装置に送信する第３ステップと、を更に含む。
【００１４】
この際、前記サービス装置は、複数の読取専門家の第１リスト、及び前記複数の読取専門家が使用する複数の端末機、または複数の連結アカウントの第２リストを獲得し得るようになっており、そして、前記端末機は、前記複数の読取専門家のうち所定の規則によって選定された前記読取専門家が使用する端末機である。
【００１５】
この際、前記サービス装置は、前記算出されたサービス水準が予め決定された値以下であると決定されれば、ｉ）読み取り結果を送ってきた読取専門家の選定可能性を減少させるように設定を変更するステップと、ｉｉ）前記読み取り結果を送ってきた読取専門家を一定期間他の医学情報の読み取り依頼から排除するように設定を変更するステップと、ｉｉｉ）前記医学情報読み取り結果を捨てるステップとのうち一つ以上を行うようになっており、そして、前記サービス装置は、前記算出されたサービス水準が予め決定された第２値以上であると決定されれば、読み取り結果を送ってきた読取専門家の選定可能性を増加させるように設定を変更するステップを行うようになっている。
【００１６】
この際、前記サービス水準を算出するステップは、前記参照読み取り結果に含まれた定量的分析結果が示す第１値と、前記専門家評価用読み取り結果に含まれた定量的分析結果が示す第２値との間の差異値、または前記第１値と前記第２値との間の割合に基づいて、前記サービス水準に関する第３値を算出するステップと、を含む。
【００１７】
この際、前記医学情報は、生体からまたは死滅した生体から検出された画像情報、または生体からまたは死滅した生体から検出された音響情報のうちいずれか一つを含み、前記医学情報は生きている生命体の状態を診断するために提供されるものであるか、または死んでいる生命体の状態を診断するために提供されるものである。
【００１８】
この際、前記医学情報は、一人または複数の患者に関する医学情報であり、前記要請装置は、医学診断サービス需要者が管理するサーバであり、前記サービス装置は、前記要請装置と前記端末機と間の情報交換を中継するサーバであり、前記端末機は、前記医学情報を読み取る能力を有する読取専門家が使用するコンピューティング装置である。
【００１９】
この際、患者の身元を特定し得る情報が前記医学情報に含まれていないか、または患者の身元を特定し得る情報が前記医学情報には含まれていても、前記患者の身元を特定し得る情報が前記読み取り要請情報には含まれていない。
【００２０】
この際、前記遠隔医学診断サービス方法は、前記サービス装置が、前記第３ステップの後に、前記医学情報読み取り結果に関する評価点数を前記要請装置または他の装置から受信するか、または前記サービス装置のユーザインタフェースを介して獲得するステップと、前記サービス装置が、前記評価点数及び前記サービス水準のうち一つ以上に基づいて前記医学情報を読み取る読取専門家の等級を決定し、前記決定された等級に応じて前記読取専門家に対する補償水準を更新するステップと、を更に含む。そして、前記サービス装置は、前記医学情報を読み取る読取専門家を識別する識別情報を前記読み取り要請情報内に含ませるようになっており、前記読み取り結果は、前記識別情報によって識別される読取専門家によって導出されるとみなされている。
【００２１】
これとは異なって、前記遠隔医学診断サービス方法は、前記受信するステップの前に、前記サービス装置が、遠隔医学診断サービスの要請を要請装置から受信するステップと、前記受信するステップの前に、前記サービス装置が、読取専門家を設定し、前記設定された読取専門家に関する連絡情報を前記要請装置に提供するステップと、を更に含む。そして、前記読み取り結果は、前記端末機から前記要請装置を経由せずに受信したものであるか、または前記端末機から前記要請装置を経由して受信したものであり、前記読み取り要請情報は、前記要請装置から前記端末機に前記サービス装置を経由せずに伝達されたものである。
【００２２】
この際、前記遠隔医学診断サービス方法は、前記受信するステップの前に、前記サービス装置が、前記参照医学情報を前記要請装置に提供するステップと、また前記受信するステップの前に、前記サービス装置が、前記参照読み取り結果を前記要請装置から獲得するステップと、を更に含む。
【００２３】
本発明の他の観点によって、通信部、及び処理部を含むサービス装置が提供される。前記処理部は、前記通信部を利用して、医学情報の一部または全部、及び参照医学情報を含む読み取り要請情報に対する読み取り結果を端末機から受信し、前記読み取り結果のうち、前記参照医学情報に関する内容である専門家評価用読み取り結果を抽出し、前記専門家評価用読み取り結果を前記参照医学情報を読み取って予め用意しておいた参照読み取り結果と互いに比較し、そして、前記比較した結果に基づいて、前記読み取り結果のうち前記医学情報に関する内容である医学情報読み取り結果のサービス水準を算出するようになっている。
【００２４】
この際、前記処理部は、前記読み取り結果を受信する前に、前記通信部を利用して、前記医学情報を要請装置から受信し、前記読み取り結果を受信する前に、前記通信部を利用して、前記読み取り要請情報を前記端末機に送信し、そして、前記通信部を利用して、前記医学情報読み取り結果を前記要請装置に送信するようになっている。
【００２５】
本発明の他の観点によって、電子装置によって実行される命令を含む一つ以上のプログラムを貯蔵したコンピュータで読み取り可能なノントランジトリー記録媒体が提供される。この際、前記命令が前記電子装置によって実行されたら、前記電子装置が、医学情報の一部または全部、及び参照医学情報を含む読み取り要請情報に対する読み取り結果を端末機から受信し、前記読み取り結果のうち、前記参照医学情報に関する内容である専門家評価用読み取り結果を抽出し、前記専門家評価用読み取り結果を前記参照医学情報を読み取って予め用意しておいた参照読み取り結果と互いに比較し、そして、前記比較した結果に基づいて、前記読み取り結果のうち前記医学情報に関する内容である医学情報読み取り結果のサービス水準を算出するようになっている。
【００２６】
この際、前記命令が前記電子装置によって実行されたら、前記電子装置が、前記読み取り結果を受信する前に、前記医学情報を要請装置から受信し、前記読み取り結果を受信する前に、前記読み取り要請情報を前記端末機に送信し、そして、前記医学情報読み取り結果を前記要請装置に送信するようになっている。
【発明の効果】
【００２７】
本発明によると、医療機関のような医学診断サービスの需要者と外部の読取専門家との間に発生する医療情報読み取りサービスのための情報を中継する技術を提供することができる。
【００２８】
本発明によると、外部の読取専門家の専門的力量を評価するための基礎情報を医学診断サービスの需要者に提供し、そして、外部の読取専門家のサービス提供の品質をリアルタイムで評価する技術を提供することができる。
【図面の簡単な説明】
【００２９】
【図１】本発明の一実施例による遠隔医学診断方法を説明する順序図である。
【図２】本発明の一実施例によって特定の読取専門家を選定する方法を示す順序図である。
【図３】本発明の一実施例による遠隔医学診断方法を説明する順序図である。
【図４】本発明の一実施例によって提供される遠隔医学診断方法を実行するための遠隔医学診断システムの構成例を示す図である。
【図５】本発明の一実施例によって提供される遠隔医学診断サービス方法を示す順序図である。
【図６】本発明の他の実施例によって提供される遠隔医学診断サービス方法を示す順序図である。
【図７】本発明の一実施例によって前記算出されたサービス水準を活用する方法を示す順序図である。
【図８】本発明の他の実施例によって前記算出されたサービス水準を活用する方法を示す順序図である。
【発明を実施するための形態】
【００３０】
本発明または出願に開示されている本発明の実施例に関する特定の構造的乃至機能的説明は、単に本発明による実施例を説明するための目的で例示されたものであって、本発明による実施例は多様な形態で実施されてもよく、本明細書または出願に説明された実施例に限って解釈されてはならない。
【００３１】
本発明による実施例は多様な変更を加えてもよく、様々は形態を有することができるため、特定の実施例を図面に例示して本明細書または出願に詳細に説明する。しかし、これは本発明の概念による実施例を特定の開示形態に対して限定しようとするものではなく、本発明の思想及び技術範囲に含まれる全ての変更、均等物乃至代替物を含むと理解すべきである。
【００３２】
第１及び／または第２などの用語は多様な構成要素を説明するのに使用されるが、前記構成要素は前記用語によって限定されない。前記用語は一つの構成要素を他の構成要素から区別する目的にのみ、例えば、本発明の概念による権利範囲から逸脱しないまま、第１構成要素は第２構成要素と命名されてもよく、類似して第２構成要素は第１構成要素と命名されてもよい。
【００３３】
本出願で使用した用語は単に特定の実施例を説明するために使用されたものであって、本発明を限定する意図はない。単数の表現は、文脈上明白に異なるように意味しない限り、複数の表現を含む。本明細書において、「含む」または「有する」などの用語は実施された特徴、数字、ステップ、動作、構成要素、部分品またはこれらを組み合わせたものが存在することを指定するものであって、一つまたはそれ以上の他の特徴や数字、ステップ、動作、構成要素、部分品またはこれらを組み合わせたものの存在または付加可能性を予め排除しないと理解すべきである。
【００３４】
異なるように定義されない限り、ここで使用される技術的か科学的な用語を含む全ての用語は、該当技術分野における通常の知識を有する者によって一般的に理解されるものと同じ意味である。一般的に使用される辞書に定義されているものと同じ用語は、関連技術の文脈上で有する意味と一致する意味であると解釈すべきであり、本明細書で明白に定義しない限り、理想的にまたは過度に形式的な意味で解釈されない。
【００３５】
以下、添付した図面を参照して本発明の好ましい実施例を説明することで、本発明を詳細に説明する。各図面に提示した参照符号は同じ部材を示す。
【００３６】
以下、図１を参照して本発明の一実施例によって提供される遠隔医学診断方法を説明する。
【００３７】
図１は、本発明の一実施例による遠隔医学診断方法を説明する順序図である。
【００３８】
本明細書において、「遠隔医学」という用語は「遠隔医療」の概念を含む。本明細書において、「医学」という用語は人または動物を治療するための医療行為だけでなく、生命体または死滅した生命体を研究するための学問のための行為を含む。
【００３９】
本発明の一実施例による遠隔医学診断方法は、後述するステップＳ１０、ステップＳ１１、ステップＳ１２、ステップＳ２０、ステップＳ２１、ステップＳ３０、ステップＳ４０、ステップＳ５０、ステップＳ６０、ステップＳ７０、及びステップＳ８０を含む。
【００４０】
ステップＳ１０：サービス装置１が、医学情報及び遠隔診断サービス要請を要請装置２から受信するステップ。
【００４１】
ステップＳ１１：サービス装置１が、複数の読取専門家のうち特定の読取専門家を選定し、前記選定された読取専門家が使用する端末機３及び／または連絡アカウントを識別するステップ。
【００４２】
ステップＳ１２：サービス装置１が、前記医学情報の一部または全部、及び予め貯蔵されている参照医学情報を含む読み取り要請情報を生成するステップ。
【００４３】
ステップＳ０：サービス装置１が、前記読み取り要請情報を最終的に選定された読取専門家が使用する端末機３に送信するステップ。
【００４４】
ステップＳ２１：サービス装置１が、前記読み取り要請情報に対する読み取り結果を端末機３から受信するステップ。
【００４５】
ステップＳ３０：サービス装置１が、前記読み取り結果のうちから前記参照医学情報に関する内容である専門家評価用読み取り結果を抽出し、前記読み取り結果のうち前記医学情報に関する内容である医学情報読み取り結果を抽出するステップ。
【００４６】
ステップＳ４０：サービス装置１が、前記専門家評価用読み取り結果を参照読み取り結果と比較した結果に基づいて、前記医学情報読み取り結果及び／または前記読取専門家が提供した読み取りサービスのサービス水準を算出するステップ。
【００４７】
ステップＳ５０：サービス装置１が、前記算出されたサービス水準が予め決定された値以下であると決定されれば、読み取り結果を送ってきた読取専門家の選定可能性を減少させるようにサービス装置お設定を変更するか、読み取り結果を送ってきた読取専門家が予め決定された期間の間に他の医学情報に対する読み取り要請から排除されるようにサービス装置の設定を変更するか、前記算出されたサービス水準が予め決定された第２値以上であれば、読み取り結果を送ってきた読取専門家の選定可能性を増加させるようにサービス装置のセッティングを変更するか、前記算出されたサービス水準が予め決定された第３値以下であれば、前記医学情報読み取り結果を捨てるステップ。
【００４８】
ステップＳ６０：サービス装置１が、前記医学情報読み取り結果を捨てなければ、前記読み取り結果のうち前記医学情報に関する内容である医学情報読み取り結果を要請装置２に送信するステップ。
【００４９】
ステップＳ７０：前記サービス装置が、前記医学情報読み取り結果に関する評価点数を前記要請装置または他の装置から受信するか、または前記サービス装置のユーザインタフェースを介して入力されるステップ。
【００５０】
ステップＳ８０：前記サービス装置が、前記評価点数及び／または前記算出されたサービス水準に基づいて前記医学情報を読み取った読取専門家の等級を算出し、前記等級に応じて前記読取専門家に対する補償の水準を更新するステップ。
【００５１】
以下、上述したステップをより詳細に記述する。
【００５２】
ステップＳ１０の詳細な説明
ステップＳ１０に提示された前記医学情報は、読取専門家による読み取りが要求される情報であって、患者の身体から測定されたデータである測定データを含む。
【００５３】
一実施例において、前記測定データはイメージ、画像、及びオーディオのうち一つ以上を含む。しかし、前記測定データはイメージ、画像、及びオーディオに限らず、これとは異なる属性を有するデータであってもよい。例えば、前記測定データは、患者Ａの身体に対するＭＲＩイメージであるか、ＣＴイメージであるか、または超音波画像であってもよい。
【００５４】
また、前記医学情報には患者の履歴情報が選択的に含まれる。つまり、前記測定データが正確に読み取られるためには、前記測定データに対する患者の過去の病歴が要求される場合がある。
【００５５】
また、前記医学情報には患者の性別、年齢、身長、体重、及び血液型などの身体情報が選択的に含まれる。
【００５６】
また、前記医学情報には患者を他の人と識別し得る個人情報が選択的に含まれる。
【００５７】
前記医学情報は、一人または複数の患者に関する医学情報である。つまり、前記要請装置は一人の患者に対する医学情報の読み取りを要請してもよいが、これとは異なって、複数の患者に対する医学情報の読み取りを一度に要請してもよい。
【００５８】
本発明の一実施によると、患者の身元を特定し得る情報が前記医学情報に含まれていないか、または患者の身元を特定し得る情報が前記医学情報には含まれていても、前記患者の身元を特定し得る情報が前記読み取り要請情報には含まれていない。
【００５９】
本発明の一実施において、前記医学情報は、生体からまたは死滅した生体から検出された画像情報、及び生体からまたは死滅した生体から検出された音響情報のうち少なくとも一つを含む。前記医学情報は、生きている生命体の状態を診断するために提供されるか、または死んでいる生命体の状態を診断するために提供される。
【００６０】
ステップＳ１０に提示された前記要請装置は、前記一人または複数の患者に対する対面医療診断を行う医療機関または医学研究機関が管理するサーバまたはコンピューティング装置である。または、前記要請装置は、任意の医学診断サービス需要者が管理するサーバまたはコンピューティング装置であってもよい。
【００６１】
ステップＳ１０に提示されたサービス装置１は、通信ネットワークを介して複数の前記要請装置に接続される。ステップＳ１０に提示された要請装置は、前記複数の要請装置のうちいずれか一つである。前記複数の要請装置は、互いに異なる医療機関または医療研究機関によって管理される互いに異なる装置である。または、前記複数の要請装置は、任意の医学診断サービス需要者が管理するサーバまたはコンピューティング装置であってもよい。
【００６２】
前記サービス装置１は、処理部及び通信部を含むコンピューティング装置またはサーバである。サービス装置１は、前記通信部を介して通信ネットワークに接続する。サービス装置１は、通信ネットワークを介して要請装置２及び端末機３と通信する。
【００６３】
サービス装置１は、複数の読取専門家のリストである読取専門家リスト、及び前記複数の読取専門家が使用する複数の端末機のリストである端末機リストを他の装置から獲得するようになっている。または、サービス装置１は、前記読取専門家リスト及び前記端末機リストを貯蔵していてもよい。
【００６４】
一実施において、要請装置２は端末機３に直接接続できず、サービス装置１を介してのみ端末機３に接続できる。また、一実施において、端末機３は要請装置２に直接接続できず、サービス装置１を介してのみ要請装置２に接続できる。
【００６５】
しかし、他の実施例において、要請装置２と端末機３は互いに直接接続してもよい。但し、この場合においても、サービス装置１は要請装置２と端末３との間を中継するための所定のサービスを提供する。
【００６６】
ステップＳ１１の詳細な説明
ステップＳ１１において、サービス装置１は前記読取専門家リストに含まれた前記複数の読取専門家のうちから特定の読取専門家を選定し、前記選定された読取専門家が使用する端末機３を識別する。または、端末機３を直接識別する代わりに、前記選定された読取専門家が使用する連絡アカウントを識別してもよい。前記連絡アカウントを介して前記選定された読取専門家は、任意の端末機を介してサービス装置１が前記選定された読取専門家に送ってきた資料に接近する。前記連絡アカウントは、例えば、電子メールのアドレスであってもよい。
【００６７】
サービス装置１と、要請装置２と、端末機３との間の通信は、図１に提示されていない第３のインターネットサービス提供者の助けを受けてもよい。
【００６８】
以下、本発明の一実施例によって特定の読取専門家を選定する方法を図２を参照して説明する。
【００６９】
図２は、本発明の一実施例によって特定の読取専門家を選定する方法を示す順序図である。
【００７０】
そのために、サービス装置１は、ステップＳ１１において、前記複数の読取専門家のうち一部または全部を１次に選抜し、前記１次に選抜された読取専門家が使用する端末機または連絡アカウントを１次に選抜する。
【００７１】
次に、ステップＳ５１２において、サービス装置１は前記医学情報に対する読み取りサービスを提供してほしいとのサービス要請を前記１次に選抜された端末機に、または連絡アカウントを介して伝送する。
【００７２】
前記サービス要請には、各読取専門家が読み取るべき医学情報の類型に関する情報、各読取専門家が読み取るべき医学情報の量、及び各読取専門家が提供する読み取りサービスに対する報酬に関する対価が含まれる。
【００７３】
各読取専門家が提供するサービスの品質または消費者の満足度は、各読取専門家の専門的能力によって異なり得る。よって、各読取専門家の経歴に基づいて、または各読取専門家が過去に提供したサービスに対する評価情報に基づいて、各読取専門家に対する等級がつけられる。前記サービス要請に含まれた前記読み取りサービスに対する対価に関する情報は、前記サービス要請を受信するようになっている読取専門家の前記等級によって異なり得る。
【００７４】
例えば、第１医学情報に対する読み取りサービスを要請する第１サービス要請は第１読取専門家に送信され、前記第１医学情報に対する読み取りサービスを要請する第２サービス要請は第２読取専門家に送信される。
【００７５】
この際、前記第１サービス要請及び前記第２サービス要請には、いずれも前記第１医学情報の類型に関する情報が含まれる。例えば、前記第１医学情報の類型に関する情報は、成人の脳に対するＭＲＩイメージであることを示す情報である。
【００７６】
そして、前記第１サービス要請及び前記第２サービス要請には、それぞれ前記第１医学情報の量に関する情報が含まれている。例えば、前記第１サービス要請及び前記第２サービス要請には、いずれも各読取専門家が読み取るべき前記成人の脳に対するＭＲＩイメージが何枚であるのかに関する情報が含まれていてもよい。
【００７７】
そして、前記第１サービス要請には前記第１医学情報に対する読み取りサービスを提供した対価として、前記第１読取専門家に提供されるリワードの水準である第１水準の値が含まれる。そして、前記第２サービス要請には前記第１医学情報に対する読み取りサービスを提供した対価として、前記第２読取専門家に提供されるリワードの水準である第２水準の値が含まれる。この際、前記第１水準と第２水準は互いに異なるか同じである。
【００７８】
各読取専門家は、自分が受信したサービス要請に含まれている前記読み取るべき医学情報の類型、前記読み取るべき医学情報の量、及び自分が提供する読み取りサービスに対する前記対価に基づいて、前記サービス要請を受諾するのかを決定する。
【００７９】
次に、ステップＳ５１３において、前記サービス装置１は、前記サービス要請を受諾した１セットの要請受諾端末機に対応する１セットの要請受諾読取専門家を識別する。
【００８０】
次に、ステップＳ５１４において、前記サービス装置１は、所定の規則に従って前記１セットの要請受諾読取専門家のうち一人の読取専門家を選定する。
【００８１】
次に、ステップＳ５１５において、サービス装置１は、前記選定された一人の読取専門家が使用する前記端末機３または連絡アカウントを識別する。
【００８２】
前記複数の読取専門家のうち一部または全部を１次に選抜する過程及び／または前記１セットの受諾読取専門家のうち一人の読取専門家を選定する過程は、前記複数の読取専門家に対して与えられた等級を観察し、前記等級を基準に選別する過程を含む。
【００８３】
例えば、前記複数の読取専門家のうち一部または全部を１次に選抜する過程は、予め決定された水準の等級以下を有する読取専門家をフィルタリングアウトする過程を含んむ。
【００８４】
そして、例えば、前記１セットの受諾読取専門家のうち一人の読取専門家を選定する過程は、前記１セットの受諾読取専門家のうち最も高い前記等級を有する読取専門家を選抜する過程を含む。
【００８５】
本発明の一実施によると、前記サービス装置は前記要請装置と前記端末機との間の情報交換を中継するサーバである。そして、前記端末機は、前記医学情報を読み取る能力を有する読取専門家が使用するコンピューティング装置である。
【００８６】
ステップＳ１２の詳細な説明
ステップＳ１２に提示された前記読み取り要請情報は、前記医学情報の一部または全部を含む。例えば、サービス装置１が要請装置２から受信した前記医学情報に前記個人情報が含まれていれば、前記読み取り要請情報は前記医学情報のうち前記個人情報を除いた一部のみを含む。これとは異なって、例えば、サービス装置１が要請装置２から受信した前記医学情報が単に匿名の患者の脳に対するＭＲＩイメージのみを含んでいれば、前記読み取り要請情報前記医学情報の全部を含んでもよい。
【００８７】
ステップＳ１２に提示した前記参照医学情報、及びステップＳ４０に提示した前記参照読み取り結果は、サービス装置１に予め貯蔵されている情報であるか、サービス装置１がアクセスし得る他の装置に予め貯蔵されているものである。この際、前記他の装置は、サービス装置１がアクセスし得るデータサーバである。
【００８８】
一実施において、前記参照医学情報は、前記医学情報と同じ類型の情報である。例えば、前記医学情報が患者Ａの脳に対するＭＲＩイメージであれば、前記参照医学情報は患者Ｂの脳に対するＭＲＩイメージである。他の実施において、前記参照医学情報は、前記医学情報と類似した類型の情報であってもよい。例えば、前記医学情報が患者Ａの脳に対するＭＲＩイメージであれば、前記参照医学情報は患者Ｂの肝臓に対するＭＲＩイメージであってもよい。しかし、他の実施においては、前記参照医学情報は、前記医学情報とは異なる類型の情報であってもよい。
【００８９】
前記参照読み取り結果は、前記参照医学情報を読み取って予め貯蔵しておいたものであって、一人以上の読取専門家によって十分に検証されたものである。つまり、前記参照読み取り結果は前記参照医学情報を読み取った結果であって、正しいと認識されるものである。
【００９０】
本発明の一実施例によると、前記サービス装置は前記医学情報を読み取る読取専門家を識別する識別情報を前記読み取り要請情報内に含ませるようになっている。
【００９１】
ステップＳ２１及びステップＳ３０の詳細な説明
ステップＳ２１及びステップＳ３０に提示した読み取り結果は、前記最終的に選定された読取専門家が前記医学情報の一部または全部を読み取った結果である「医学情報読み取り結果」を含む。また、前記読み取り結果は、前記参照医学情報を読み取った結果である「専門家評価用読み取り結果」を含む。
【００９２】
前記医学情報読み取り結果及び前記専門家評価用読み取り結果の意味に関する理解を助けるために、以下のように例示する。
【００９３】
つまり、例えば、前記医学情報の一部または全部が第１患者の脳のＭＲＩイメージであれば、前記医学情報読み取り結果は病変の存在有無、互いに区分される病変の個数、及び各病変の大きさに関する情報である定量的分析結果を含む。
【００９４】
そして、例えば、前記参照医学情報が参照患者の脳のＭＲＩイメージであれば、前記専門家評価用読み取り結果は病変の存在有無、互いに区分される病変の個数、及び各病変の大きさに関する情報である定量的分析結果を含む。
【００９５】
また、前記医学情報読み取り結果及び前記専門家評価用読み取り結果は、それぞれ前記医学情報の一部または全部、及び参照医学情報を分析して述べた文のような定性的分析結果を含む。
【００９６】
前記医学情報読み取り結果及び前記専門家評価用読み取り結果は、それぞれ定量的分析結果及び定性的分析結果のうち一つ以上を含む。
【００９７】
本発明の一実施例によると、前記読み取り結果は前記識別情報によって識別される読取専門家によって導出されたとみなすようになっている。
【００９８】
ステップＳ４０の詳細な説明
ステップＳ４０に提示された前記サービス水準を算出するステップは、前記参照読み取り結果に含まれた定量的分析結果が示す第１値と、前記専門家評価用読み取り結果に含まれた定量的分析結果が示す第２値との間の差異値、または前記第１値と前記第２値との間の割合に基づいて、前記サービス水準に関する第３値を算出するステップＳ４１０を含む。
【００９９】
または、前記サービス水準を算出するステップは、前記参照読み取り結果に含まれた定性的分析結果に提示された第１文の内容と、前記専門家評価用読み取り結果に含まれた定性的分析結果が示す第２文の内容が互いに一致する程度を計算する。前記計算は人工知能を利用して行われる。前記一致する程度を数値に変換し、前記サービス水準に関する値とみなす。
【０１００】
前記サービス水準の算出は、前記要請装置２が送った医学情報を読み取った結果である前記医学情報読み取り結果の品質及び／または信頼度、または前記医学情報読み取り結果の需要者の満足度に関する。または、前記サービス水準の算出は、ステップＳ２１を介して前記読取専門家が提供した前記読み取り結果の全般的な品質及び／または信頼度、または前記読み取り結果に対する需要者の満足度に関する。
【０１０１】
前記医学情報読み取り結果のサービス水準、つまり、前記医学情報読み取り結果の信頼度を評価する一方法は、他の専門家が直接前記医学情報読み取り結果を前記医学情報と対照して検証する方法である。しかし、この場合、どうせ前記他の専門家を利用すればよいため、前記最終的に選定された読取専門家に前記医学情報の読み取りを依頼する必要がない。また、前記最終的に選定された読取専門家のサービスを提供され、前記他の専門家のサービスも提供されてもよいが、仕事を二重に処理する結果となるため、コストの支出という側面で非常に不合理である。よって、このような方法を使用することは非常に不合理であることを理解できる。
【０１０２】
前記医学情報読み取り結果のサービス水準、つまり、前記医学情報読み取り結果の信頼度を評価する他の方法は、前記医学情報読み取り結果の信頼度（サービス水準）を直接評価するのではなく、本発明の一実施例によって提示された前記ステップＳ４０のように、前記医学情報読み取り結果の信頼度を間接的に評価することである。
【０１０３】
前記医学情報読み取り結果と前記専門家評価用読み取り結果は、同じ人によって導出されたと仮定することが合理的である。また、前記医学情報読み取り結果と前記専門家評価用読み取り結果は、ほぼ類似した時間帯に導出されたと仮定し得る。よって、前記専門家評価用読み取り結果の信頼度を算出し、これを前記医学情報読み取り結果の信頼度とみなすことは合理的な選択である。
【０１０４】
本発明の一実施例によると、前記サービス水準を算出するステップは、サービス装置１内で自動的に行われる。そして、前記最終的に選定された読取専門家が端末機３を介して前記読み取り結果をサービス装置１に返信すれば、前記サービス水準を算出するステップは直ちに実行される。よって、前記サービス水準の算出は、実質的にリアルタイムで行わることを理解できる。
【０１０５】
ステップＳ５０の詳細な説明
ステップＳ５０において、前記算出されたサービス水準が予め決定された値以下であると決定されれば、基本的に前記読み取り結果を返信した前記最終的に選定された読取専門家にペナルティを課するか、前記読み取り結果に対する信頼度評価点数を下げるか、または前記読み取り結果を捨てる。更に、前記読取専門家に一定期間以上読み取りサービスの提供を要請しなくてもよい。
【０１０６】
例えば、前記算出されたサービス水準が予め決定された第３値以下であれば、前記医学情報読み取り結果を捨てる。
【０１０７】
もし、前記最終的に選定された読取専門家が返信した読み取り結果を捨てるようになれば、サービス装置１はステップＳ１１に戻って新しい読取専門家を選定する。そして、次にサービス装置１はその次のステップを更に実行する。
【０１０８】
前記算出されたサービス水準が予め決定された値以下であれば、前記最終的に選定された読取専門家または前記読み取り結果に対してペナルティを課する方法は多様に具現される。
【０１０９】
一方、前記算出されたサービス水準が予め決定された第２値以上であれば、前記読み取り結果を送ってきた読取専門家を、今後の遠隔診断サービスの提供者として選定する可能性を増加させる。
【０１１０】
遠隔医学診断サービスの需要者は、サービス装置１が水準未達の読取専門家を自動的に排除する信頼性の高い技術を提供するため、サービス装置１を利用した遠隔医学診断プラットフォームを信頼することができる。このように、任意の読取専門家が提供した読み取り結果のサービス水準を実質的にリアルタイムで決定する本発明の一実施例による技術は、遠隔医学診断分野を活性化する基盤技術として利用することができる。
【０１１１】
ステップＳ６０、ステップＳ７０、及びステップＳ８０の詳細な説明
選択的に、ステップＳ６０の後に、要請装置２は受信した医学情報読み取り結果を最終的に確定するユーザ入力を入力される。要請装置２のユーザ、つまり、前記医学情報読み取り結果の需要者が前記受信した医学情報読み取り結果を最終的に確定することを拒否すれば、要請装置２はこのような拒否の意思をサービス装置１に提供する。サービス装置１がこのような拒否の意思を受信すれば、端末機３に前記読み取り要請情報に対する読み取りを更に要請する。次に、ステップＳ２１以降のステップが更に繰り返し実行される。
【０１１２】
ステップＳ７０に提示した前記評価点数は、前記医学情報読み取り結果を受信した要請装置２を利用する人または医療機関によって算出される。前記医学情報読み取り結果の需要者であって自らが前記医学情報を読み取る能力を有するまた他の専門家は、前記医学情報読み取り結果を前記医学情報を比較することで、前記医学情報読み取り結果の正確性または信頼性のような指標の値を決定する。前記指標の値は、サービス装置１に多様なルートでフィードバックされる。
【０１１３】
前記要請装置２を利用する前記また他の専門家は、自ら前記医学情報を読み取ることができる。しかし、多様な事情のため、前記また他の専門家は、前記医学情報の読み取りを外部の読取専門家、つまり、前記最終的に選定された読取専門家に依頼する。前記医学情報を読み取るために消費される時間を第１時間とし、すでに読み取り済みで提供された前記医学情報読み取り結果を検証する時間を第２時間とすれば、前記第２時間が前記第１時間より短い。そして、この場合、前記他の専門家は自ら前記医学情報読み取るよりは、前記外部の読取専門家に読み取りを依頼しようとすることを理解できる。
【０１１４】
以下、図３を参照して本発明の他の実施例によって提供される遠隔医学診断方法を説明する。
【０１１５】
図３は、本発明の一実施例による遠隔医学診断方法を説明する順序図である。図３は、図１から変形された方法を示す。
【０１１６】
図１では要請装置２と端末機３との間の全ての通信をサービス装置１が中継している。それに対し、図３において、サービス装置１は要請装置２と端末機３との間の遠隔医療診断サービスを中継するために必要な一部の手順のみを行い、その他の手順は要請装置２と端末機３との間の直接通信によって行われる。
【０１１７】
図１と図３において、同じ参照番号で提示されたステップは互いに同じである。以下、説明の便宜上、図３に提示した方法のうち図１に提示した方法と差がある部分のみ説明する。このようにしても、図３に提示した方法を理解するには無理はない。
【０１１８】
図３に提示したステップＳ４０、ステップＳ５０、ステップＳ６０、ステップＳ７０、及びステップＳ８０は図１に提示したものと同じである。
【０１１９】
図１に提示したステップＳ６０は図３では省略される。
【０１２０】
図１に提示したステップＳ１０は図３ではステップＳ１１０に代替される。
【０１２１】
図１に提示したステップＳ１２は図３ではステップＳ１１２に代替される。
【０１２２】
図１に提示したステップＳ２０は図３ではステップＳ１２０に代替される。
【０１２３】
図１に提示したステップＳ２１は図３ではステップS１２１に代替される。
【０１２４】
図１に提示したステップＳ３０は図３ではステップＳ１３０に代替される。
【０１２５】
図３ではステップＳ１１とステップＳ１１２との間にステップＳ１１１が追加される。また、ステップＳ１１１’がオープションとして追加されてもよい。
【０１２６】
図３にはステップＳ１１３がオープションとして追加されてもよい。
【０１２７】
図３にはステップＳ１２０とステップＳ１３０との間にステップＳ１２２が追加される。また、ステップＳ１２１’がオープションとして追加されてもよい。
【０１２８】
ステップＳ１１０において、サービス装置１が、医学情報及び遠隔診断サービス要請を要請装置２から受信する。この際、実施例によっては、サービス装置１が、医学情報及び遠隔診断サービス要請のうち遠隔診断サービス要請のみを要請装置２から受信してもよい。このような異なる点を除いては、ステップＳ１１０で実行される他の具体的な事項は、図１のステップＳ１０と同じく具現される。
【０１２９】
ステップＳ１１１において、サービス装置１が、ステップＳ１１で選定された読取専門家に関する連絡情報を要請装置２に提供する。前記連絡情報は、例えば、前記読取専門家が使用する端末機の識別子、または前記読取専門家が使用する連絡アカウントであってもよい。
【０１３０】
ステップＳ１１１’において、サービス装置１が、図１で説明した参照医学情報を用意して要請装置２に提供する。実施例によっては、図３からステップＳ１１１’は省略されてもよい。
【０１３１】
ステップＳ１１２において、要請装置２は、前記医学情報の一部または全部、及び予め用意した参照医学情報を含む読み取り要請情報を生成する。図１では前記読み取り要請情報をサービス装置１が生成するが、図３では前記読み取り要請情報を要請装置２が生成する点が異なる。
【０１３２】
一実施において、前記予め用意した参照医学情報は、ステップＳ１１１’によってサービス装置１から獲得したものである。
【０１３３】
他の実施例において、前記予め用意した参照医学情報は、サービス装置１の助けを受けずに要請装置２が自ら用意したものであってもよい。つまり、参照医学情報、及び図１のステップＳ４０に提示した参照読み取り結果は、要請装置２に予め貯蔵されている情報であるか、要請装置２がアクセスし得る他の装置に予め貯蔵されているものである。この際、前記他の装置は、要請装置２がアクセスし得るデータサーバである。
【０１３４】
上述した異なる点を除いては、ステップＳ１１２で実行される他の具体的な事項は、図１のステップＳ１２と同じく具現される。
【０１３５】
前記予め用意した参照医学情報がサービス装置１の助けを受けずに要請装置２が自ら用意したものであれば、要請装置２はステップＳ１１３で前記参照読み取り結果をサービス装置１に提供し、次のステップでサービス装置１が利用し得るようにする。
【０１３６】
ステップＳ１２０において、要請装置２は前記読み取り要請情報を端末機３に直接伝送する。この際、前記読み取り要請情報はサービス装置１を経由しなくてもよい。ステップＳ１２０において、要請装置２はステップＳ１１１で獲得した連絡情報を利用する。上述した異なる点を除いては、ステップＳ１２０で実行される他の具体的な事項は、図１のステップＳ２０と同じく具現される。
【０１３７】
ステップＳ１２１において、端末機３はサービス装置１に第１読み取り結果を提供する。前記第１読み取り結果は、図１のステップＳ３０で提示した前記専門家評価用読み取り結果を含む。実施例によっては、前記第１読み取り結果は図１のステップＳ３０で提示した前記医学情報読み取り結果を更に含んでもよく、この場合、前記第１読み取り結果は図１のステップＳ３０で提示した前記読み取り結果と同じである。
【０１３８】
ステップＳ１２１’において、端末機３は前記第１読み取り結果を要請装置２を経由してサービス装置１に提供する。そのために、要請装置２は前記第１読み取り結果を自動的に、またはユーザの入力によってサービス装置１に提供する。
【０１３９】
図３において、ステップＳ１２１及びステップＳ１２１’のうちいずれか一つのみ行われるか、両方とも行われてもよい。
【０１４０】
ステップＳ１２２において、端末機３要請装置２に第２読み取り結果を提供する。前記第２読み取り結果は、図１のステップＳ３０で提示した前記医学情報読み取り結果を含む。実施例によっては、前記第２読み取り結果は図１のステップＳ３０で提示した前記専門家評価用読み取り結果を更に含んでもよく、この場合、前記第２読み取り結果は図１のステップＳ３０で提示した前記読み取り結果と同じである。
【０１４１】
選択的に、ステップＳ１２２の後に、要請装置２は受信した医学情報読み取り結果を最終的に確定するユーザ入力を入力される。要請装置２のユーザ、つまり、前記医学情報読み取り結果の需要者が前記受信した医学情報読み取り結果を最終的に確定することを拒否すれば、要請装置２はこのような拒否の意思を端末機３またはサービス装置１に提供する。サービス装置１がこのような拒否の意思を受信すれば、端末機３に前記読み取り要請情報に対する読み取りを更に要請する。端末機３がこのような拒否の意思を受信すれば、読取専門家に前記読み取り要請情報に対する読み取りを更に要請する。次に、ステップＳ１２１及びその次のステップが更に繰り返し実行される。
【０１４２】
ステップＳ１３０において、サービス装置１が前記第１読み取り結果のうちから前記参照医学情報に関する内容である専門家評価用読み取り結果を抽出する。上述した異なる点を除いては、ステップＳ１３０で実行される他の具体的な事項は、できれば図１のステップＳ３０と同じく具現される。
【０１４３】
図４は、本発明の一実施例によって提供される遠隔医学診断方法を実行するための遠隔医学診断システムの構成例を示す図である。
【０１４４】
遠隔医学診断システム１００は、サービス装置１、一つ以上の要請装置２、及び一つ以上の端末機３を含む。前記装置及び端末機は、通信ネットワーク５０を介して相互通信し得る通信モジュールを含む。
【０１４５】
遠隔医学診断システム１００には複数の要請装置２が含まれる。各要請装置２は、遠隔医学診断システム１００に対する連結及び連結解除を自由に選択してもよい。各要請装置２は、例えば、互いに異なる医療機関、互いに異なる医学研究機関、または互いに異なる医療人、医学者が使用するものであってもよい。つまり、各要請装置２は医学診断サービスの需要者が使用するものである。
【０１４６】
遠隔医学診断システム１００には複数の端末機３が含まれる。各端末機３は、遠隔医学診断システム１００に対する連結及び連結解除を自由に選択してもよい。各端末機３は、例えば、互いに異なる読取専門家１３０が使用するものであってもよい。一部の端末機３３は、複数の読取専門家１３３、１３４が使用するものであってもよい。
【０１４７】
サービス装置１は、処理部１１及び通信部１２を含むコンピューティング装置である。例えば、サービス装置１はサーバである。
【０１４８】
処理部１１は、前記参照医学情報及び前記参照読み取り結果を含む貯蔵部１３に接続する。
【０１４９】
一実施において、貯蔵部１３はサービス装置１内に含まれた周辺装置であって、通信部１２と処理部１１に電源を供給する第１電源によって電極を供給される。
【０１５０】
他の実施例において、貯蔵部１３はサービス装置１とは別途に提供される装置であってもよく、この際、サービス装置１はローカルネットワーク、またはＭＡＮ（Ｍｅｔｒｏｐｌｉｔａｎ  Ａｒｅａ  Ｎｅｔｗｏｒｋ）、ＬＡＮ（Ｌｏｃａｌ  Ａｒｅａ  Ｎｅｔｗｏｒｋ）、Ｉｎｔｅｒｎｅｔなど、各種有無線通信ネットワークを介して貯蔵部１３に接近する。
【０１５１】
要請装置２は、処理部２１１及び通信部２１２を含むコンピューティング装置である。例えば、要請装置２はサーバであってもよい。
【０１５２】
処理部２１１は、前記参照医学情報及び前記参照読み取り結果を含む貯蔵部２１３に接続する。
【０１５３】
一実施において、貯蔵部２１３は要請装置２内に含まれた周辺装置であって、通信部２１２と処理部２１１に電源を供給する第１電源によって電極を供給される。
【０１５４】
他の実施例において、貯蔵部２１３は要請装置２とは別途に提供される装置であってもよい。この際、要請装置２はローカルネットワーク、またはＭＡＮ、ＬＡＮ、Ｉｎｔｅｒｎｅｔなど、各種有無線通信ネットワークを介して貯蔵部３１３に接近する。
【０１５５】
図５は、本発明の一実施例によって提供される遠隔医学診断サービス方法を示す順序図である。
【０１５６】
ステップＳ７１０において、サービス装置１は、前記医学情報を要請装置２から受信する。
【０１５７】
ステップＳ７２０において、サービス装置１は、前記医学情報の一部または全部、及び参照医学情報を含む読み取り要請情報を端末機３に送信する。
【０１５８】
ステップＳ７３０において、サービス装置１は、前記読み取り要請情報に対する読み取り結果を端末機３から受信する。
【０１５９】
ステップＳ７４０において、サービス装置１は、前記読み取り結果のうちから前記参照医学情報に関する内容である専門家評価用読み取り結果を抽出する。
【０１６０】
ステップＳ７５０において、サービス装置１は、前記専門家評価用読み取り結果を前記参照医学情報を読み取って予め用意しておいた参照読み取り結果と互いに比較する。
【０１６１】
ステップＳ７６０において、サービス装置１は、前記比較した結果に基づいて、前記読み取り結果のうち前記医学情報に関する内容である医学情報読み取り結果のサービス水準を算出する。
【０１６２】
ステップＳ７７０において、サービス装置１は、前記医学情報読み取り結果を要請装置２に送信する。
【０１６３】
図６は、本発明の他の実施例によって提供される遠隔医学診断サービス方法を示す順序図である。
【０１６４】
ステップＳ８１０において、サービス装置１は、遠隔医学診断サービス要請を要請装置２から受信する。
【０１６５】
ステップＳ８２０において、サービス装置１は、読取専門家を選定し、前記選定された読取専門家に関する連絡情報を要請装置２に提供する。
【０１６６】
ステップＳ８３０において、サービス装置１は、前記参照読み取り結果を要請装置２から獲得するか、または前記参照医学情報を前記要請装置に提供する。
【０１６７】
ステップＳ８４０において、サービス装置１は、前記読み取り要請情報に対する読み取り結果を端末機３から受信する。
【０１６８】
ステップＳ８５０において、サービス装置１は、前記読み取り結果のうちから前記参照医学情報に関する内容である専門家評価用読み取り結果を抽出する。
【０１６９】
ステップＳ８６０において、サービス装置１は、前記専門家評価用読み取り結果を前記参照医学情報を読み取って予め用意しておいた参照読み取り結果と互いに比較する。
【０１７０】
ステップＳ８７０において、サービス装置１は、前記比較した結果に基づいて、前記読み取り結果のうち前記医学情報に関する内容である医学情報読み取り結果のサービス水準を算出する。
【０１７１】
図７は、本発明の一実施例によって前記算出されたサービス水準を活用する方法を示す順序図である。
【０１７２】
図７に提示した方法は、図１に示したステップＳ４０に基づく。
【０１７３】
ステップＳ４０において、前記サービス装置は、専門家評価用読み取り結果を参照読み取り結果と比較した結果に基づいて、前記読み取り結果のうち前記医学情報に関する内容である医学情報読み取り結果のサービス水準を算出する。
【０１７４】
ステップＳ３１０において、前記サービス装置は、前記算出されたサービス水準が予め決定された値以下であると決定されれば、前記算出されたサービス水準が予め決定された値以下であることを示す情報を要請端末に伝送する。
【０１７５】
前記要請端末は、前記医学情報の読み取りを要請した需要者が使用する要請端末である。
【０１７６】
図７に示した方法によると、本発明は需要者が読み取りを要請した医学情報を外部の読取専門家が読み取った結果である医学情報読み取り結果の信頼性を前記需要者に知らせる応用分野で実際に利用し得ることを理解できる。
【０１７７】
図８は、本発明の他の実施例によって前記算出されたサービス水準を活用する方法を示す順序図である。
【０１７８】
図８で提示した方法は、図１に示したステップＳ４０に基づく。
【０１７９】
ステップＳ４０において、前記サービス装置は、専門家評価用読み取り結果を参照読み取り結果と比較した結果に基づいて、前記読み取り結果のうち前記医学情報に関する内容である医学情報読み取り結果のサービス水準を算出する。
【０１８０】
ステップＳ２１０において、前記サービス装置が、前記読み取り結果を送ってきた読取専門家に対する等級を前記算出されたサービス水準に基づいて更新する。
【０１８１】
ステップＳ２２０において、前記サービス装置が、要請装置から遠隔診断サービス要請を受信すれば、前記読取専門家を含む複数の読取専門家のうちから一人の読取専門家を、前記複数の読取専門家に対する前記等級に基づいて選択する。
【０１８２】
ステップＳ２３０において、前記サービス装置が、前記選択された読取専門家に関する情報を前記要請装置に伝送する。
【０１８３】
例えば、ステップＳ２３０は，図１に提示した実施例においてステップＳ１１とステップＳ１２との間で行われる。または、ステップＳ２３０は図１に提示した実施例においてステップＳ６０に含まれて行われてもよい。または、ステップＳ２３０は図３に提示した実施例においてステップＳ１１１に含まれて行われてもよい。または、ステップＳ２３０は上述した時点に限らず、任意の時点に実行されてもよい。
【０１８４】
この際、前記選択された読取専門家に関する情報は、前記選択された読取専門家の専門分野、前記選択された読取専門家の前記等級、前記選択された読取専門家の平均読み取り時間、及び前記選択された読取専門家の連絡情報のうち一つ以上を含む。前記選択された読取専門家に関する情報は前記例示したものに限らない。
【０１８５】
図８に示した方法によると、本発明は遠隔医療診断サービスに適合した外部の読取専門家を選択し、選択された読取専門家を遠隔医療診断サービスの需要者に勧める応用分野で実際に利用し得ることを理解できる。
【０１８６】
本発明の一実施例によると、上述した方法のうち少なくとも一つを実行するようになっている処理部及び通信部を含むサービス装置が提供される。
【０１８７】
本発明の一実施例によると、電子装置によって実行される命令を含む一つ以上のプログラムを貯蔵したコンピュータで読み取り可能なノントランジトリー記録媒体が提供される。この際、前記命令が前記電子装置によって実行される際、前記電子装置が、上述した方法のうち少なくとも一を実行するようになっている。前記電子装置は上述したサービス装置である。
【０１８８】
本明細書に記載の医療情報との用語は、生体または死滅した生体から検出された画像情報及び音響情報のうち少なくとも一つを含む情報を通称するための用語である。本発明は、患者の状態を診断する産業分野、生きている動物の状態を診断する産業分野、及び死んでいる生命体の状態を診断する産業分野に利用される。
【０１８９】
発明は図面に示した一実施例を参照して説明したが、これは例示的なものに過ぎず、本技術分野の通常の知識を有する者であれば、これから多様な変形及び均等な他の実施例が可能であることを理解できるはずである。よって、本発明の真の技術的保護範囲は、添付した特許請求の範囲の技術的思想によって決められるべきである。
【０１９０】
謝辞（Ａｃｋｎｏｗｌｅｄｇｅｍｅｎｔ）
本特許出願発明は、以下の研究課題の支援を受けて行われました。
課題固有番号：０６６８−２０１８０２５５
主管機関：ソウル大学
研究事業名：２０１７年度創意先導新進研究者支援事業
研究課題名：全国民の脳疾患を早期に診断するための超高速脳画像及び診断自動化技術の開発
研究期間：２０１７．０９．０１〜２０１８．０８．３１
【符号の説明】
【０１９１】
１  サービス装置
２  要請装置
３  端末機
５０  通信ネットワーク
１００  遠隔医学診断システム
【図１】
2020135860.tif 000003
【図２】
2020135860.tif 000004
【図３】
2020135860.tif 000005
【図４】
2020135860.tif 000006
【図５】
2020135860.tif 000007
【図６】
2020135860.tif 000008
【図７】
2020135860.tif 000009
【図８】
2020135860.tif 000010